(57)【要約】【課題】本発明は、利用者が乗るステップの左右の位置のうち、どちら側で停止して乗ればよいか、あるいはどちら側を歩行する利用者のために空けるかを、利用者が認識しやすい踏板、及びエスカレーターの提供を目的とした。【解決手段】エスカレーター１のステップ３０の移動方向Ｘに対して交差する長手方向Ｙにおいて、右側及び左側の一方を構成する第一領域Ｒ１と、他方を構成する第二領域Ｒ２とが形成されるものであり、第一領域Ｒ１及び第二領域Ｒ２のうち少なくとも一方に、所定の目印２０が設けられていることを特徴とするものである。【選択図】図３
2020179962.tif 000002
【特許請求の範囲】
【請求項１】
エスカレーターのステップを構成する踏板であって、
エスカレーターのステップの移動方向に対して交差する長手方向において、右側及び左側の一方を構成する第一領域と、他方を構成する第二領域とが形成されるものであり、
前記第一領域及び前記第二領域のうち少なくとも一方に、所定の目印が設けられていることを特徴とする踏板。
【請求項２】
前記踏板の上方となる上方面の領域の一部を窪ませた凹部が形成されており、
前記凹部の輪郭がなす形状により、前記目印が形成されていることを特徴とする請求項１に記載の踏板。
【請求項３】
前記上方面には、外縁の一端から他端に至るように複数の筋状部が形成されており、
前記凹部が、前記筋状部の上方端の一部を切削することにより形成されているものであ
ることを特徴とする請求項２に記載の踏板。
【請求項４】
前記目印が、着色により形成されているものであることを特徴とする請求項１に記載の踏板。
【請求項５】
前記目印が、停止することを示唆するものであることを特徴とする請求項１〜３のいずれかに記載の踏板。
【請求項６】
請求項１〜５のいずれかの踏板を備えることを特徴とするエスカレーター。
【発明の詳細な説明】
【技術分野】
【０００１】
本発明は、踏板、及びエスカレーターに関する。
【背景技術】
【０００２】
近年、公共施設や商業施設などの施設でエスカレーターが設置され、利用者の利便に供されている。一般的なエスカレーターとして、ひとつのステップに利用者二人が並んで乗れるステップ幅を有するエスカレーターが提供されている。例えば、下記特許文献には、ひとつのステップに利用者二人が乗ることができるエスカレーターが記載されている。
【先行技術文献】
【特許文献】
【０００３】
【特許文献１】特開２０１５−１９９５８８号公報
【発明の概要】
【発明が解決しようとする課題】
【０００４】
ところで、エスカレーターを利用者が利用する際に、急いでいる利用者が空いている側のステップを歩行する慣習がある。具体的には、利用者二人が並んで乗れるエスカレーターにおいては、利用者はエスカレーターのステップの左側又は右側に停止して乗り、その反対側を空けるという習慣が発生している。
【０００５】
ここで、ステップの左側及び右側のうち、いずれ側で停止して乗るか、歩行する利用者のためにいずれの側を空けておくかといった慣習は、地域によって異なる。そのため、その地域に不慣れな利用者が、エスカレーターを利用する際にどちら側で停止して乗るかといったことに戸惑う、あるいは間違えるといったことが発生している。エスカレーターの左右どちら側が停止又は歩行する側であるかを一目で認識することができれば、その地域に不慣れな利用者の戸惑いや間違いを低減することが期待できる。
【０００６】
そこで本発明は、利用者が乗るステップの左右の位置のうち、どちら側で停止して乗ればよいか、あるいはどちら側を歩行する利用者のために空けるかを、利用者が認識しやすい踏板、及びエスカレーターの提供を目的とした。
【課題を解決するための手段】
【０００７】
上述の課題を解決すべく提供される本発明の踏板は、エスカレーターのステップを構成する踏板であって、エスカレーターのステップの移動方向に対して交差する長手方向において、右側及び左側の一方を構成する第一領域と、他方を構成する第二領域とが形成されるものであり、前記第一領域及び前記第二領域のうち少なくとも一方に、所定の目印が設けられていることを特徴とするものである。
【０００８】
本発明の踏板によれば、利用者が乗るステップの左右の位置のうち、どちら側で停止して乗ればよいか、あるいはどちら側を歩行する利用者のために空けるかを、利用者が目印を指標として認識しやすくなる。そのため、本発明の踏板は、地域に不慣れな利用者の戸惑いや間違いを低減させることができる。
【０００９】
ここで、エスカレーターの踏板は、長手方向に交差する方向（移動方向）に複数の溝が形成されている。そのため、踏板に目印を設けるために塗料などを塗って着色した場合、溝に塗料が落ちてにじむことが想定される。また、塗料などを踏板に塗ると、次第に塗料が摩擦により剥がれていくことが想定される。
【００１０】
そのため、本発明の踏板は、前記踏板の上方となる上方面の領域の一部を窪ませた凹部が形成されており、前記凹部の輪郭がなす形状により、前記目印が形成されているものとするとよい。
【００１１】
上述の構成によれば、凹部により形成される陰影により目印を視認することができるとともに、塗料等が剥がれて目印の視認が困難になるといった懸念を回避することができる。
【００１２】
また、本発明の踏板は、前記上方面には、外縁の一端から他端に至るように複数の筋状部が形成されており、前記凹部が、前記筋状部の上方端の一部を切削することにより形成されているものであってもよい。
【００１３】
上述の構成によれば、凹部により形成される陰影により目印を視認することができるとともに、塗料等が剥がれて目印の視認が困難になるといった懸念を回避することができる。
【００１４】
本発明の踏板は、前記目印が、着色により形成されているものであってもよい。
【００１５】
上述の構成によれば、より柔軟に目印を構成し得る。
【００１６】
本発明の踏板は、前記目印が、停止することを示唆するものであるとよい。
【００１７】
上述の構成によれば、エスカレーターを停止して乗ることを促進することができる。
【００１８】
本発明のエスカレーターは、上述したいずれかの踏板を備えることを特徴とするものである。
【００１９】
本発明のエスカレーターによれば、利用者が乗るステップの左右の位置のうち、どちら側で停止して乗ればよいか、あるいはどちら側を歩行する利用者のために空けるかを、利用者が目印を指標として認識しやすくなる。そのため、本発明のエスカレーターは、地域に不慣れな利用者の戸惑いや間違いを低減させることができる。
【発明の効果】
【００２０】
本発明によれば、利用者が乗るステップの左右の位置のうち、どちら側で停止して乗ればよいか、あるいはどちら側を歩行する利用者のために空けるかを、利用者が認識しやすい踏板、及びエスカレーターを提供することができる。
【図面の簡単な説明】
【００２１】
【図１】本発明の実施形態に係るエスカレーターを示している。
【図２】図１のエスカレーターのステップを示す模式図である。
【図３】本発明の実施形態に係る踏板を示す斜視図である。
【図４】図３の踏板を示す正面図である。
【図５】図３の踏板を示す平面図である。
【図６】図３の踏板の図５におけるＡ−Ａ´線断面図である。
【図７】図３の踏板の右側面図である。
【図８】図３の踏板が複数配置されたエスカレーターを示す概念図である。
【図９】図３の踏板の目印の第二の例を示す平面図である。
【図１０】図３の踏板の第三、及び第四の例を示す平面図である。
【図１１】図３の踏板の第五、第六、第七の例を示す模式図である。
【図１２】図３の踏板をエスカレーターに配置させた例を示す模式図である。
【図１３】図１のエスカレーターを示す斜視図である。
【図１４】図１のエスカレーターを示す平面図である。
【図１５】図１のエスカレーターを示す右側面図である。
【図１６】図１のエスカレーターを示す底面図である。
【図１７】図１のエスカレーターを示す正面図である。
【図１８】図１のエスカレーターを示す背面図である。
【発明を実施するための形態】
【００２２】
以下、本発明の実施形態に係るエスカレーター１及び踏板１０について、図面を参照しつつ説明する。
【００２３】
図１に示すとおり、エスカレーター１は、無端状に連結された複数のステップ３０を駆動させて利用者Ｐを移動させる装置である。ステップ３０は、乗り場２（図１の例では下方側）から降り場３（図１の例では上方側）に向かって移動する。なお、以下の説明では、ステップ３０の移動方向を、単に「移動方向Ｘ」と記載する場合がある。また、本実施形態では、上方に向かってステップ３０が移動する場合（上り）を挙げて説明するが、エスカレーター１は、ステップ３０が下方に向けて移動するもの（下り）であってもよい。
【００２４】
図１に示すとおり、エスカレーター１には、複数のステップ３０により階段形状が構成されている。図２に示すとおり、ステップ３０は、乗客が足を乗せる踏板１０と、階段形状の蹴上げに相当するライザ部２２とを備えている。ステップ３０は、踏板１０及びライザ部２０により、階段形状が形成されている。なお、複数のステップ３０は、全て同様の構成を有している。ステップ３０は、踏板１０が階段形状の踏み部を形成しており、ライザ部２０が階段形状の立ち上がり部を形成している。
【００２５】
本実施形態のエスカレーター１は、ひとつのステップ３０に利用者Ｐが二人乗ることができる（図８参照）。このように二人の利用者Ｐが乗ることができるエスカレーター１では、ステップ３０の片側に利用者Ｐが停止して乗り、ステップ３０の他方の側を急いでいる利用者Ｐが歩行する習慣があり、ステップ３０の右側及び左側のうちいずれの側を歩行するかは、地域によって異なる（例えば関東ではステップ３０の左側で利用者が停止して乗り、関西ではステップ３０の右側で利用者が停止して乗るといった習慣がある）。
【００２６】
図５に示すとおり、踏板１０は、平面視において、ステップ３０の移動方向Ｘに対して交差するような略長方形の形状を有する板状の部材である。図７には、踏板１０の右側面図を示している。なお、踏板１０の左側面図は、右側面図と対称となるため図示を省略している。図３や図４の正面図に示すとおり、踏板１０の上方面１０ａには、外縁の一端から他端に至る複数の筋状部１２が、平行に並ぶように形成されている。なお、踏板１０の背面図は、正面図と対称となるため省略している。図５に示すとおり、筋状部１２は、長手方向Ｙに交差する方向（奥行き方向Ｄ）に沿うように形成されている。図６に示すとおり、筋状部１２と筋状部１２との間には、溝１４が形成されている。
【００２７】
上述のとおり、ひとつの踏板１０（一段のステップ３０）には、利用者Ｐが二人乗ることができる。すなわち、踏板１０には、長手方向Ｙの両側において、利用者Ｐが乗る祭に右側及び左側のうちいずれかを形成する二つの領域が形成されている。図５に示すとおり、踏板１０には、移動方向Ｘに対して左側を構成する第一領域Ｒ１と、右側を構成する第二領域Ｒ２とが形成されている。
【００２８】
図３等に示すとおり、踏板１０には、目印２０が形成されている。本実施形態の目印２０は、上方面１０ａに窪みを形成することにより設けられている。より具体的に説明すると、図６に示すとおり、踏板１０には、複数の筋状部１２のうち一部の筋状部１２の上方端の一部を切削することにより、上方面１０ａの一部を窪ませた凹部１６が設けられている。本実施形態の凹部１６は、他の筋状部１２に対して距離Ｌ分切削して窪ませたものとされている。踏板１０には、凹部１６の輪郭（上方面１０ａの窪み領域の輪郭）がなす形状により、所定の形状として視認される目印２０が形成されている。具体的には、凹部１６の輪郭近傍に陰影が形成されて、図形として視認可能となる。
【００２９】
図５に示すとおり、本実施形態の踏板１０は、目印２０を移動方向Ｘに対して左側となる第一領域Ｒ１に設けたものとされている。また、本実施形態の目印２０は、長手方向Ｙに延びるような略長方形の形状とされている。
【００３０】
図８に示すとおり、複数の踏板１０をエスカレーター１に配置させると、エスカレーター１の左側に利用者Ｐの歩行方向（ステップ３０の移動方向Ｘ）に対して、視覚的に歩行を阻止するような印象を与える意匠を構成することができる。言い方を換えれば、踏板１０は、利用者Ｐに停止して乗るべき位置が左側であることを示唆することができる。これにより、左側が停止して乗る位置であることを利用者Ｐが認識しやすくなる。
【００３１】
なお、本実施形態の踏板１０では、凹部１６を設けることにより目印２０を形成した例を示したが、本発明の踏板はこれに限定されない。例えば、本発明の踏板の目印は、上方面１０ａに塗料等により着色を施すことにより形成してもよい。
【００３２】
次いで、踏板１０に形成される目印２０の他の例について説明する。上述の実施形態の踏板１０では、停止して乗るべきことを示唆する目印２０を左側の第一領域Ｒ１に設けた例を示したが（図９（ａ）参照）、図９（ｂ）に示すとおり、停止して乗るべきことを示唆する目印１２０を右側の第二領域Ｒ２に設けてもよい。
【００３３】
また、上述の実施形態では、第一領域Ｒ１に目印２０を設けて第二領域Ｒ２に目印２０を設けないものとした例を示したが、本発明の踏板はこれに限定されない。例えば、図１０（ａ）に示すとおり、本発明の踏板は、第一領域Ｒ１及び第二領域Ｒ２の双方（左側及び右側）に目印が設けられたものであってもよい。その場合、図１０（ａ）に示すとおり、第一領域Ｒ１及び第二領域Ｒ２の一方には停止して乗るべきことを示唆する目印１２１ａとして、他方には歩行を許容することを示唆する目印１２１ｂが設けられることが望ましい。
【００３４】
また、本発明の踏板は、例えば図１０（ｂ）に示すとおり、第一領域Ｒ１及び第二領域Ｒ２のうち一方（図１０（ｂ）の例では第二領域Ｒ２）に歩行を許容することを示唆する目印１２２が設けられたものであってもよい。
【００３５】
さらに、本発明の踏板は、第一領域Ｒ１及び第二領域Ｒ２のうち一方に、複数の目印は設けられたものであってもよい。例えば、図１１（ａ）に示すとおり、踏板１０は、第一領域Ｒ１に、複数の図形を含む目印１２３としてもよい。また、本発明の踏板に設けられる目印は、略長方形、円形、星型等、いかなる形状であってもよい。さらに、図１１（ｂ）及び（ｃ）に示すとおり、本発明の踏板は、文字として視認可能な目印（例えば、「止」の文字として視認可能な目印１２４や「ＳＴＯＰ」の文字として視認可能な目印１２５）が設けられたものであってもよい。
【００３６】
図１３及び図１４には、本発明の実施形態に係る踏板１０を備えるエスカレーター１を示している。図１３及び図１４では実線で示されている部分（エスカレーター１の部分）は、踏板１０を示しており、その他の部分を破線で示している。図１３等に示すとおり、エスカレーター１には、全ての踏板１０に目印２０が設けられている。図１５には、エスカレーター１の右側面図を示している。なお、エスカレーター１は、左右対称であり、左側面図は右側面図と対称となるため図示を省略している。
【００３７】
なお、本発明のエスカレーターは、全ての踏板に目印が設けられたものであってもよいし（図１２（ａ）参照）、複数の踏板のうち一部の踏板に目印が設けられたものであってもよい。例えば、図１２（ｂ）に示すとおり、本発明のエスカレーターは、目印が設けられていない踏板に対して目印が設けられた踏板が所定の間隔で配置されているものであってもよい。
【産業上の利用可能性】
【００３８】
本発明は、公共施設や商業施設等に設置されるエスカレーターとして、好適に採用することができる。
【符号の説明】
【００３９】
１        エスカレーター
１０      踏板
１２      筋状部
１６      凹部
２０      目印
３０      ステップ
１２０    目印
１２１ａ  目印
１２１ｂ  目印
１２２    目印
１２３    目印
１２４    目印
１２５    目印
Ｘ        移動方向
Ｙ        長手方向
Ｒ１      第一領域
Ｒ２      第二領域
【図１】
2020179962.tif 000003
【図２】
2020179962.tif 000004
【図３】
2020179962.tif 000005
【図４】
2020179962.tif 000006
【図５】
2020179962.tif 000007
【図６】
2020179962.tif 000008
【図７】
2020179962.tif 000009
【図８】
2020179962.tif 000010
【図９】
2020179962.tif 000011
【図１０】
2020179962.tif 000012
【図１１】
2020179962.tif 000013
【図１２】
2020179962.tif 000014
【図１３】
2020179962.tif 000015
【図１４】
2020179962.tif 000016
【図１５】
2020179962.tif 000017
【図１６】
2020179962.tif 000018
【図１７】
2020179962.tif 000019
【図１８】
2020179962.tif 000020